(57)【要約】ハンドル部を設け、ブレーキをかけることを可能にし、車輪にサスペンションを設けてジャンプ等に対応できる多彩なプレイを可能にした一輪車を提供すること。この一輪車１は、タイヤ３１を有する所定径のリム３２、リム３２の中心部に配置される車軸３３、リム３２と車軸３３を結ぶ連結具３４からなる車輪３と、車輪３の車軸３３を回転駆動できるペダル５，５と、車軸３３を、一端側で回動可能に固定したフレーム部７と、フレーム部７の基部７２で連結されるハンドル部９と、フレーム部７の基部７２で連結されるサドル部１１とを備えている。ハンドル部９はフレーム部７の基部７２で摺動・固定可能に設けられている。ハンドル部９とサドル部１１のサドル１１３とが所定の角度に配置される。連結具３４は、少なくとも３本のサスペンションを１２０度間隔でリム３２と車軸３３との間に配置した。車輪３に対して手動によりブレーキを掛けられるブレーキ手段１３を設けている。
2005007497.tif 000002
【特許請求の範囲】
【請求項１】
タイヤを有する所定径のリム、前記リムの中心部に配置される車軸、前記リムと車軸を結ぶ連結具からなる車輪と、前記車輪の車軸を回転駆動できるペダルと、前記車軸を、一端側で回動可能に固定したフレーム部と、前記フレーム部の他端側で連結されるサドル部と、前記フレーム部の他端側で連結されるハンドル部とを備えた一輪車であって、前記ハンドル部は前記フレーム部の他端側で摺動・固定可能に設けられており、前記ハンドル部と前記サドル部のサドルとが所定の角度に配置される構造にしてあり、前記連結具は少なくとも３本のサスペンションを１２０度間隔で前記リムと車軸との間に配置したものであり、かつ、前記車輪に対して手動によりブレーキを掛けられるブレーキ手段を設けたものであることを特徴とする一輪車。
【請求項２】
前記ブレーキ手段は、車輪に設けられ車輪の回転を停止させる作用をするブレーキ機構と、前記ハンドル部のハンドルに設けたブレーキレバーと、前記ブレーキレバーと前記ブレーキ機構との間に設けられ前記ブレーキレバーのブレーキ操作駆動力を伝達する伝達機構とを備え、前記ブレーキレバーのブレーキ操作駆動力を前記伝達機構によって前記ブレーキ機構に伝達して前記車輪に手動でブレーキをかけることができるようにしてなることを特徴とする請求項１記載の一輪車。
【請求項３】
前記フレーム部の他端側にはサドル固定アームの一端部が着脱可能に固定されており、前記サドル固定アームの他端部にはサドル取付バーが摺動可能に固定されており、前記サドル取付バーにサドルを回動可能に固定して所定角度に保てるように調整することにより、前記ハンドル部のハンドル軸に対して所定の範囲で調整可能になっていることを構成してなることを特徴とする請求項１記載の一輪車。
【発明の詳細な説明】
【技術分野】  本発明は一輪車の改造に関し、特にハンドル部を設けるとともに、ブレーキで車輪にブレーキをかけることを可能にし、かつ、車輪にサスペンションを設けてジャンプ等に対応できるようにしたことにより多彩な乗車姿勢を可能にした一輪車に関するものである。
【背景技術】  この種の一輪車は、タイヤを有する所定径のリム、前記リムの中心部に配置される車軸、前記リムと車軸を結ぶ連結具からなる車輪と、前記車輪の車軸に直結するペダルと、前記車軸を、一端側に回動可能に固定したフレーム部と、前記フレーム部の他端側で連結されるサドル部と、前記フレーム部の他端側で連結されるハンドル部とを備えたものが提案されている（特開平１０−４２１９５号公報参照）。
このような一輪車によれば、ハンドル部があるため、ハンドル部のない従来の一輪車に比べて違和感がなく、大人でも乗ることができるようになる。
【特許文献１】  特開平１０−４２１９５号公報
【発明の開示】
しかしながら、上記従来の一輪車によれば、上述した構造のため、次のような不都合があった。
（１）寸法が固定されているため、一輪車に乗る人の体格に応じた適正な姿勢を保つことができず、体格によっては安定した乗車ができないという不都合があった。
（２）手で操作するブレーキがないため、細かなブレーキ操作ができず、安定姿勢を保つことが困難であるという不都合があった。
（３）タイヤによるショック吸収のみであるため、特別なホッピング等の操作ができないという不都合があった。
（４）サドル部とハンドル部との角度の調整が困難であって、安定な姿勢に調整することができないという不都合があった。
（５）必要に応じてハンドル部を収納するなどのことができないという不都合があった。  本発明は、上述した不都合を解消するためになされたものであり、ハンドル部を設け、かつ、ブレーキをかけることを可能にし、かつ、車輪にサスペンションを設けてジャンプ等に対応できるようにしたことにより多彩な乗車姿勢を可能にした一輪車を提供することを目的とする。
上記目的を達成するために、請求項１記載の発明に係る一輪車は、タイヤを有する所定径のリム、前記リムの中心部に配置される車軸、前記リムと車軸を結ぶ連結具からなる車輪と、前記車輪の車軸を回転駆動できるペダルと、前記車軸を、一端側で回動可能に固定したフレーム部と、前記フレーム部の他端側で連結されるサドル部と、前記フレーム部の他端側で連結されるハンドル部とを備えた一輪車であって、前記ハンドル部は前記フレーム部の他端側で摺動・固定可能に設けられており、前記ハンドル部と前記サドル部のサドルとが所定の角度に配置される構造にしてあり、前記連結具は少なくとも３本のサスペンションを１２０度間隔で前記リムと車軸との間に配置したものであり、かつ、前記車輪に対して手動によりブレーキを掛けられるブレーキ手段を設けたものであることを特徴とするものである。
請求項２記載の発明では、本願請求項１記載の一輪車において、前記ブレーキ手段は、車輪に設けられ車輪の回転を停止させる作用をするブレーキ機構と、前記ハンドル部のハンドルに設けたブレーキレバーと、前記ブレーキレバーと前記ブレーキ機構との間に設けられ前記ブレーキレバーのブレーキ操作駆動力を伝達する伝達機構とを備え、前記ブレーキレバーのブレーキ操作駆動力を前記伝達機構によって前記ブレーキ機構に伝達して前記車輪に手動でブレーキをかけることができるようにしてなることを特徴とする請求項１記載の一輪車。
請求項３記載の発明では、本願請求項１記載の一輪車において、前記フレーム部の他端側にはサドル固定アームの一端部が着脱可能に固定されており、前記サドル固定アームの他端部にはサドル取付バーが摺動可能に固定されており、前記サドル取付バーにサドルを回動可能に固定して所定角度に保てるように調整することにより、前記ハンドル部のハンドル軸に対して所定の範囲で調整可能になっていることを構成してなることを特徴とする請求項１記載の一輪車。
【図面の簡単な説明】  第１図は、本発明を実施するための最良の形態に係る一輪車を示す側面図である。
第２図は、本発明を実施するための最良の形態に係る一輪車を示す平面図である。
第３図は、本発明を実施するための最良の形態に係る一輪車のサドル部付近の要部を拡大して示す斜視図である。
第４図は、本発明を実施するための最良の形態に係る一輪車に乗車した状態を示す側面図である。
第５図は、本発明を実施するための最良の形態に係る一輪車においてハンドル部を収納した状態を示す側面図である。
第６図は、本発明を実施するための最良の形態に係る一輪車においてハンドル部を収納しかつサドル部周辺を取り外した状態を示す側面図である。
【発明を実施するための最良の形態】  以下、本発明を実施するための最良の形態について図面を参照して説明する。
図１ないし図６は本発明を実施するための最良の形態を説明するための図である。ここに、図１は、本発明を実施するための最良の形態に係る一輪車を示す側面図である。図２は、本発明を実施するための最良の形態に係る一輪車を示す平面図である。図３は、本発明を実施するための最良の形態に係る一輪車のサドル部付近の要部を拡大して示す斜視図である。図４は、本発明を実施するための最良の形態に係る一輪車に乗車した状態を示す側面図である。図５は、本発明を実施するための最良の形態に係る一輪車においてハンドル部を収納した状態を示す側面図である。図６は、本発明を実施するための最良の形態に係る一輪車においてハンドル部を収納しかつサドル部周辺を取り外した状態を示す側面図である。
これらの図において、本発明を実施するための最良の形態に係る一輪車１は、大別して、車輪３と、左右ペダル５，５と、フレーム部７と、ハンドル部９と、サドル部１１と、ブレーキ手段１３とを備え、次のように構成されている。
すなわち、前記車輪３は、タイヤ３１を有する所定径のリム３２と、前記リム３２の中心部に配置される車軸３３と、前記リム３２と車軸３３を結ぶ連結具３４から構成されている。ここで、前記連結具３４は、図１、図４、図５および図６に示すように、少なくとも３本のサスペンション３４１，３４１，３４１を１２０度間隔で前記リム３２と車軸３３との間に配置したものである。このサスペンション３４１は、図１、図４、図５および図６からも分かるように、コイルバネ３４１ａと、このコイルバネ３４１のコイル内側に設けられたショックアブソーバ３４２とからなり、所定の衝撃力を前記コイルバネ３４１とショックアブソーバ３４２との作用で吸収するとともに、前記コイルバネ３４１でポンピング状態を維持できるようにしたものである。
前記ペダル５，５は、図１ないし図６に示すように、前記車輪３の車軸３３に直結しており、前記ペダル５，５からの駆動力を前記車輪３に伝達できるようになっている。
前記フレーム部７は、図１および図２に示すように、二本の長尺板状体７１，７１の他端側を共通に構成して当該フレーム部７の他端部側（基部）７２とし、かつ、二本の長尺板状体７１，７１の一端側を一定間隔に保って当該フレーム部７の一端側とすることによりフォーク形状に形成したものである。前記フレーム部７の二本の長尺板状体７１，７１の一端側（当該フレーム部７の一端側）には、前記車輪３の車軸３３を回動可能に固定している。
前記フレーム部７の他端側である基部７２には、サドル部１１ガ固定されている。同様に、前記フレーム部７の他端側である基部７２には、ハンドル部９が摺動・固定可能に配置されている。これらハンドル部９と、サドル部１１との配置によって、前記ハンドル部９のハンドルと、前記サドル部１１のサドルとが所定の角度に配置される構造になっている。
前記一輪車１には、前記車輪３に手動によりブレーキを掛けられるブレーキ手段１３が設けられている。
さらに詳細に本発明を実施するための最良の形態に係る一輪車１の構造を説明する。
前記ハンドル部９は、図１および図２に示すように、左右のグリップ部９１，９１を有するハンドル９２と、前記ハンドル９２の中心部において直角方向に所定間隔で設けられたハンドル軸９３，９３とからなる。
前記各ハンドル軸９３，９３は、フレーム部７の他端側の基部７２に設けた収納孔７３，７３に摺動可能に嵌合しており、かつ、前記基部７２の収納孔７３，７３の近傍に設けた図示しない絞縛レバーの作用により、摺動可能になったり、固定されたりするようになっている。
前記サドル部１１は、図３に示すように、所定の長さの角柱形状のサドル固定アーム１１１と、所定の長さの丸棒形状をしたサドル取付バー１１２と、座るためのサドル１１３とからなる。
前記サドル固定アーム１１１は、図３に示すように、前記フレーム部７の他端側の基部７２に設けた取付座７４に、当該サドル固定アーム１１１の一端部がネジ１１４，１１４，…で着脱可能になっている。前記サドル取付バー１１２は、前記サドル固定アーム１１１の他端側において図示しないネジの作用により、摺動可能になったり、あるいは固定されたりできるようになっている。前記サドル１１３は、前記サドル取付バー１１２に回動可能に固定できるようにしてあり、所定角度に保てるように調整できるようになっている。このサドル取付バー１１２のサドル固定アーム１１１に対する取付長さと、前記サドル取付バー１１２に対するサドル１１３の角度を調整することにより、図１に示すように、前記ハンドル部９のハンドル軸９３，９３に対して所定の範囲で調整可能になっている。
前記ブレーキ手段１３は、前記車輪３に設けられ車輪の回転を停止させる作用をするブレーキ機構１３１と、前記ハンドル部９のハンドル９２に設けたブレーキレバー１３２と、前記ブレーキレバー１３２と前記ブレーキ機構１３１との間に設けられ前記ブレーキレバー１３２のブレーキ操作駆動力を伝達する伝達機構１３３とを備え、前記ブレーキレバー１３２のブレーキ操作駆動力を前記伝達機構によって前記ブレーキ機構１３１に伝達して前記車輪３に手動でブレーキをかけることができるようになっている。前記ブレーキ機構１３１は、車軸に設けたディスク１３１ａと、前記フレーム部７の長尺板状体７１に固定されていてい前記ディスク１３１ａを前記ブレーキ操作駆動力で挟むブレーキパッド１３１ｂとから構成されている。また、前記伝達機構１３３は、ケーブルワイヤーで構成すればよい。さらに、前記ブレーキレバー１３２は、公知の構造を使用すればよい。
このような構造をした一輪車１は次のようにして使用する。
まず、図４に示すように、前記サドル部１１のサドル１１３に座り、かつ、前記ハンドル部９のハンドル９２のグリップ部９１，９１を手で握る。所定の姿勢に保てところで、ペダル５，５に足を載せて漕ぐことにする。
このときに、ブレーキ手段１３のブレーキレバー１３２を適当に握ってブレーキ操作駆動力を伝達機構１３３を介してブレーキ機構１３１に伝達し、車輪３に適当なブレーキ力を加えておく。
このブレーキ力と、ペダル５，５の漕ぐ力とを調整し、姿勢を保って前進し始める。一定の速度になれば、姿勢が安定し、そのまま運行することができる。
なお、不使用時には、前記ハンドル部９のハンドル軸９３，９３を摺動させて図５に示すような状態にすることにより、三点支持により立てたままで収納しておくことができる。
また、前記サドル部１１が不要なときには、図６に示すように、サドル固定アーム１１１をフレーム部７の基部７２から取り外しておくことができる。
本発明を実施するための最良の形態に係る一輪車は、上述したような構成であるので、次のような利点がある。
（１）一輪車１に乗る人の体格に応じて適正な位置にハンドル部９およびサドル部１１の位置を調整できることから、一輪車に乗る人の体格に応じて適正な姿勢を保つことができ、安定した乗車が可能となる。
（２）ブレーキ手段１３のブレーキレバー１３２を手でブレーキ操作することにより、前記車輪３にブレーキをかけることができ、細かなブレーキ操作ができることから、安定姿勢を保つことができる。
（３）タイヤ３１によるショック吸収に加えて、車軸３３とリム３２との間に設けたサスペンション３４でショック吸収とジャンプ力の発動が可能なため、ホッピング等の操作ができ、多彩なプレイを楽しむことができる。
（４）サドル部１１のサドル１１３と前記ハンドル部９のハンドル軸９３，９３との間の角度を、安定な姿勢に調整することができ、安定した走行を可能にする。
（５）必要に応じてハンドル部９のハンドル軸９３，９３を移動させて基部７２の上部に対して短くして、収納時に自立して一輪車１を収納を可能にするととも、収納時のスペースを小さくすることができる。
本発明を実施するための最良の形態に係る一輪車では、前記左右ペダル５，５は車輪３の車軸３３に直結したものとして説明したが、前記左右ペダル５，５と前記車輪３の車軸３３との間に変速機を設けてもよい。この場合、前記変速機は、前記左右ペダル５，５の回転率を同じにすれば、従来の内装変速機の技術で適用可能である。
【産業上の利用可能性】  本発明に係る一輪車は、上述したように、タイヤを有する所定径のリム、前記リムの中心部に配置される車軸、前記リムと車軸を結ぶ連結具からなる車輪と、前記車輪の車軸を回転駆動できるペダルと、前記車軸を、一端側で回動可能に固定したフレーム部と、前記フレーム部の他端側で連結されるサドル部と、前記フレーム部の他端側で連結されるハンドル部とを備えた一輪車であって、前記ハンドル部は前記フレーム部の他端側で摺動・固定可能に設けられており、前記ハンドル部と前記サドル部のサドルとが所定の角度に配置される構造にしてあり、前記連結具は少なくとも３本のサスペンションを１２０度間隔で前記リムと車軸との間に配置したものであり、かつ、前記車輪に対して手動によりブレーキを掛けられるブレーキ手段を設けたものであるので、次のような効果がある。
（１）一輪車に乗る人の体格に応じて適正な位置にサドル部およびハンドル部を調整できることから、一輪車に乗る人の体格に応じて適正な姿勢を保つことができ、安定した乗車が可能となる。
（２）手でブレーキを操作することができるため、細かなブレーキ操作ができ、安定姿勢を保つことができる。
（３）タイヤによるショック吸収と、車軸とリムとの間に設けたサスペンションでショック吸収とが可能なため、ホッピング等の操作ができ、多彩なプレイを楽しむことができる。
（４）サドル部とハンドル部との間の角度を、安定な姿勢に調整することができる。
（５）必要に応じてハンドル部のハンドル軸をフレーム部の他端側上部で短くすることができ、収納時に自立して収納を可能にするとともにのスペースを小さくすることができる。
【図１】
2005007497.tif 000003
【図２】
2005007497.tif 000004
【図３】
2005007497.tif 000005
【図４】
2005007497.tif 000006
【図５】
2005007497.tif 000007
【図６】
2005007497.tif 000008
【手続補正書】
【提出日】平成16年3月9日(2004.3.9)
【手続補正００１】
【補正対象書類名】特許請求の範囲
【補正対象項目名】請求項１
【補正方法】変更
【補正の内容】
【請求項１】
タイヤを有する所定径のリム、前記リムの中心部に配置される車軸、前記リムと前記車軸を結ぶ連結具からなる車輪と、前記車輪の車軸を直接回転駆動できるペダルと、前記車軸を、一端側で回動可能に固定したフレーム部と、前記フレーム部の他端側で連結されるサドル部と、前記フレーム部の他端側で連結されるハンドル部を備えた一輪車であって、前記ハンドル部は、左右グリップ部を有するハンドルおよび前記ハンドルの中心において直角方向に所定間隔で設けられたハンドル軸からなり、前記ハンドル部のハンドル軸が前記フレーム部の他端側で摺動・固定可能にけられており、前記サドル部は、サドル固定アーム、サドル取付バーおよびサドルからなり、前記サドル固定アームの一端が前記フレーム部の他端側に着脱可能に固定されており、前記サドル固定アームの他端にはサドル取付バーが摺動可能に固定されており、前記サドル取付バーには前記サドルが回動可能に固定できるようにされており、前記サドル取付バーの固定位置と前記ハンドル部のハンドル軸の固定位置を調整することにより前記ハンドル部のハンドルと前記サドル部のサドルとが所定角度に保てるように調整される構造にしてあり、前記連結具は少なくとも３本のサスペンションを１２０度間隔で前記リムと車軸との間に配置したものであり、かつ、前記車輪に対して手動によりブレーキをかけられるブレーキ手段を設けたものであることを特徴とする一輪車。


【手続補正００２】
【補正対象書類名】明細書
【補正対象項目名】０００２
【補正方法】変更
【補正の内容】
【０００２】
しかしながら、上記従来の一輪車によれば、上述した構造のため、次のような不都合があった。
（１）寸法が固定されているため、一輪車に乗る人の体格に応じた適正な姿勢を保つことができず、体格によっては安定した乗車ができないという不都合があった。
（２）手で操作するブレーキがないため、細かなブレーキ操作ができず、安定姿勢を保つことが困難であるという不都合があった。
（３）タイヤによるショック吸収のみであるため、特別なホッピング等の操作ができないという不都合があった。
（４）サドル部とハンドル部との角度の調整が困難であって、安定な姿勢に調整することができないという不都合があった。
（５）必要に応じてハンドル部を収納するなどのことができないという不都合があった。  本発明は、上述した不都合を解消するためになされたものであり、ハンドル部を設け、かつ、ブレーキをかけることを可能にし、かつ、車輪にサスペンションを設けてジャンプ等に対応できるようにしたことにより多彩な乗車姿勢を可能にした一輪車を提供することを目的とする。
上記目的を達成するために、請求項１記載の発明に係る一輪車は、タイヤを有する所定径のリム、前記リムの中心部に配置される車軸、前記リムと前記車軸を結ぶ連結具からなる車輪と、前記車輪の車軸を直接回転駆動できるペダルと、前記車軸を、一端側で回動可能に固定したフレーム部と、前記フレーム部の他端側で連結されるサドル部と、前記フレーム部の他端側で連結されるハンドル部を備えた一輪車であって、前記ハンドル部は、


【手続補正００３】
【補正対象書類名】明細書
【補正対象項目名】０００３
【補正方法】変更
【補正の内容】
【０００３】
左右グリップ部を有するハンドルおよび前記ハンドルの中心において直角方向に所定間隔で設けられたハンドル軸からなり、前記ハンドル部のハンドル軸が前記フレーム部の他端側で摺動・固定可能にけられており、前記サドル部は、サドル固定アーム、サドル取付バーおよびサドルからなり、前記サドル固定アームの一端が前記フレーム部の他端側に着脱可能に固定されており、前記サドル固定アームの他端にはサドル取付バーが摺動可能に固定されており、前記サドル取付バーには前記サドルが回動可能に固定できるようにされており、前記サドル取付バーの固定位置と前記ハンドル部のハンドル軸の固定位置を調整することにより前記ハンドル部のハンドルと前記サドル部のサドルとが所定角度に保てるように調整される構造にしてあり、前記連結具は少なくとも３本のサスペンションを１２０度間隔で前記リムと車軸との間に配置したものであり、かつ、前記車輪に対して手動によりブレーキをかけられるブレーキ手段を設けたものであることを特徴とするものである。
請求の範囲２に記載の発明では、本願請求の範囲１に記載の一輪車において、前記ブレーキ手段は、車輪に設けられ車輪の回転を停止させる作用をするブレーキ機構と、前記ハンドル部のハンドルに設けたブレーキレバーと、前記ブレーキレバーと前記ブレーキ機構との間に設けられ前記ブレーキレバーのブレーキ操作駆動力を伝達する伝達機構とを備え、前記ブレーキレバーのブレーキ操作駆動力を前記伝達機構によって前記ブレーキ機構に伝達して前記車輪に手動でブレーキをかけることができるようにしてなることを特徴とするものである。
［図面の簡単な説明］


【手続補正００４】
【補正対象書類名】明細書
【補正対象項目名】０００５
【補正方法】変更
【補正の内容】
【０００５】
輪車においてハンドル部を収納した状態を示す側面図である。図６は、本発明を実施するための最良の形態に係る一輪車においてハンドル部を収納しかつサドル部周辺を取り外した状態を示す側面図である。
これらの図において、本発明を実施するための最良の形態に係る一輪車１は、大別して、車輪３と、左右ペダル５，５と、フレーム部７と、ハンドル部９と、サドル部１１と、ブレーキ手段１３とを備え、次のように構成されている。
すなわち、前記車輪３は、タイヤ３１を有する所定径のリム３２と、前記リム３２の中心部に配置される車軸３３と、前記リム３２と車軸３３を結ぶ連結具３４から構成されている。ここで、前記連結具３４は、図１、図４、図５および図６に示すように、少なくとも３本のサスペンション３４１，３４１，３４１を１２０度間隔で前記リム３２と車軸３３との間に配置したものである。このサスペンション３４１は、第１図、第４図、第５図および第６図からも分かるように、コイルバネ３４１ａと、このコイルバネ３４１ａの内側に設けられたショックアブソーバ３４１ｂとからなり、所定の衝撃力を前記コイルバネ３４１ａとショックアブソーバ３４１ｂとの作用で吸収するとともに、前記コイルバネ３４１ａでポンピング状態を維持できるようにしたものである。
前記ペダル５，５は、図１ないし図６に示すように、前記車輪３の車軸３３に直結しており、前記ペダル５，５からの駆動力を前記車輪３に伝達できるようになっている。
前記フレーム部７は、図１および図２に示すように、二本の長尺板状体７１，７１の他端側を共通に構成して当該フレーム部７の他端部側（基部）




【手続補正書】
【提出日】平成16年6月11日(2004.6.11)
【手続補正１】
【補正対象書類名】特許請求の範囲
【補正対象項目名】請求項１
【補正方法】変更
【補正の内容】
【請求項１】
タイヤを有する所定径のリム、前記リムの中心部に配置される車軸、前記リムと前記車軸を結ぶ連結具からなる車輪と、前記車輪の車軸を直接回転駆動できるペダルと、前記車軸を、一端側で回動可能に固定したフレーム部と、前記フレーム部の他端側で連結されるサドル部と、前記フレーム部の他端側で連結されるハンドル部を備えた一輪車であって、前記ハンドル部は、左右グリップ部を有するハンドルおよび前記ハンドルの中心において直角方向に所定間隔で設けられたハンドル軸からなり、前記ハンドル部のハンドル軸が前記フレーム部の他端側で摺動・固定可能に設けられ、自立収納時には、前記ハンドル軸が摺動・固定されて自立スタンドを構成しており、前記サドル部は、サドル固定アーム、サドル取付バーおよびサドルからなり、前記サドル固定アームの一端が前記フレーム部の他端側に着脱可能に固定されており、前記サドル固定アームの他端にはサドル取付バーが摺動可能に固定されており、前記サドル取付バーには前記サドルが回動可能に固定できるようにされており、前記サドル取付バーの固定位置と前記ハンドル部のハンドル軸の固定位置を調整することにより前記ハンドル部のハンドルと前記サドル部のサドルとが所定角度に保てるように調整される構造にしてあり、前記連結具は少なくとも３本のサスペンションを１２０度間隔で前記リムと車軸との間に配置したものであり、かつ、前記車輪に対して手動によりブレーキをかけられるブレーキ手段を設けたものであることを特徴とする一輪車。


【手続補正２】
【補正対象書類名】特許請求の範囲
【補正対象項目名】請求項２
【補正方法】変更
【補正の内容】
【請求項２】前記ブレーキ手段は、車輪に設けられ車輪の回転を停止させる作用をするブレーキ機構と、前記ハンドル部のハンドルに設けたブレーキレバーと、前記ブレーキレバーと前記ブレーキ機構との間に設けられ前記ブレーキレバーのブレーキ操作駆動力を伝達する伝達機構とを備え、前記ブレーキレバーのブレーキ操作駆動力を前記伝達機構によって前記ブレーキ機構に伝達して前記車輪に手動でブレーキをかけることができるようにしてなることを特徴とする請求項１記載の一輪車。


【手続補正３】
【補正対象書類名】明細書
【補正対象項目名】０００２
【補正方法】変更
【補正の内容】
【０００２】
しかしながら、上記従来の一輪車によれば、上述した構造のため、次のような不都合があった。
（１）寸法が固定されているため、一輪車に乗る人の体格に応じた適正な姿勢を保つことができず、体格によっては安定した乗車ができないという不都合があった。
（２）手で操作するブレーキがないため、細かなブレーキ操作ができず、安定姿勢を保つことが困難であるという不都合があった。
（３）タイヤによるショック吸収のみであるため、特別なホッピング等の操作ができないという不都合があった。
（４）サドル部とハンドル部との角度の調整が困難であって、安定な姿勢に調整することができないという不都合があった。
（５）必要に応じてハンドル部を収納するなどのことができないという不都合があった。  本発明は、上述した不都合を解消するためになされたものであり、ハンドル部を設け、かつ、ブレーキをかけることを可能にし、かつ、車輪にサスペンションを設けてジャンプ等に対応できるようにしたことにより多彩な乗車姿勢を可能にした一輪車を提供することを目的とする。
上記目的を達成するために、請求項１記載の発明に係る一輪車は、タイヤを有する所定径のリム、前記リムの中心部に配置される車軸、前記リムと前記車軸を結ぶ連結具からなる車輪と、前記車輪の車軸を直接回転駆動できるペダルと、前記車軸を、一端側で回動可能に固定したフレーム部と、前記フレーム部の他端側で連結されるサドル部と、前記フレーム部の他端側で連結されるハンドル部を備えた一輪車であって、前記ハンドル部は、


【手続補正４】
【補正対象書類名】明細書
【補正対象項目名】０００３
【補正方法】変更
【補正の内容】
【０００３】
左右グリップ部を有するハンドルおよび前記ハンドルの中心において直角方向に所定間隔で設けられたハンドル軸からなり、前記ハンドル部のハンドル軸が前記フレーム部の他端側で摺動・固定可能に設けられ、自立収納時には、前記ハンドル軸が摺動・固定されて自立スタンドを構成しており、前記サドル部は、サドル固定アーム、サドル取付バーおよびサドルからなり、前記サドル固定アームの一端が前記フレーム部の他端側に着脱可能に固定されており、前記サドル固定アームの他端にはサドル取付バーが摺動可能に固定されており、前記サドル取付バーには前記サドルが回動可能に固定できるようにされており、前記サドル取付バーの固定位置と前記ハンドル部のハンドル軸の固定位置を調整することにより前記ハンドル部のハンドルと前記サドル部のサドルとが所定角度に保てるように調整される構造にしてあり、前記連結具は少なくとも３本のサスペンションを１２０度間隔で前記リムと車軸との間に配置したものであり、かつ、前記車輪に対して手動によりブレーキをかけられるブレーキ手段を設けたものであることを特徴とするものである。
請求の範囲２に記載の発明では、本願請求の範囲１に記載の一輪車において、前記ブレーキ手段は、車輪に設けられ車輪の回転を停止させる作用をするブレーキ機構と、前記ハンドル部のハンドルに設けたブレーキレバーと、前記ブレーキレバーと前記ブレーキ機構との間に設けられ前記ブレーキレバーのブレーキ操作駆動力を伝達する伝達機構とを備え、前記ブレーキレバーのブレーキ操作駆動力を前記伝達機構によって前記ブレーキ機構に伝達して前記車輪に手動でブレーキをかけることができるようにしてなることを特徴とするものである。
［図面の簡単な説明］


【手続補正５】
【補正対象書類名】明細書
【補正対象項目名】００１０
【補正方法】変更
【補正の内容】
【００１０】
えた一輪車であって、前記ハンドル部は前記フレーム部の他端側で摺動・固定可能に設けられており、前記ハンドル部と前記サドル部のサドルとが所定の角度に配置される構造にしてあり、前記連結具は少なくとも３本のサスペンションを１２０度間隔で前記リムと車軸との間に配置したものであり、かつ、前記車輪に対して手動によりブレーキを掛けられるブレーキ手段を設けたものであるので、次のような効果がある。
（１）一輪車に乗る人の体格に応じて適正な位置にサドル部およびハンドル部を調整できることから、一輪車に乗る人の体格に応じて適正な姿勢を保つことができ、安定した乗車が可能となる。
（２）手でブレーキを操作することができるため、細かなブレーキ操作ができ、安定姿勢を保つことができる。
（３）タイヤによるショック吸収と、車軸とリムとの間に設けたサスペンションでショック吸収とが可能なため、ホッピング等の操作ができ、多彩なプレイを楽しむことができる。
（４）サドル部とハンドル部との間の角度を、安定な姿勢に調整することができる。
（５）必要に応じてハンドル部のハンドル軸をフレーム部の他端側上部で短くすることができ、収納時に自立して収納を可能にするとともに収納時のスペースを小さくすることができる。




【国際調査報告】
2005007497.tif 000009
2005007497.tif 000010
2005007497.tif 000011
2005007497.tif 000012